(57)【要約】【課題】  平面型表示装置の梱包ケースを小型化することができ、輸送機関に積み込む際に、より多くの平面型表示装置を積み込むことができる。【解決手段】  平面型表示装置２の下面に、横方向に並べて２つの取付部１０が結合されている。取付部１０の下面に、平面型表示装置２の高さ方向の軸の回りに回転可能に支持脚４が取り付けられている。支持脚４の長さ寸法は、平面型表示装置２の横方向寸法の１／２以下で、平面型表示装置２の奥行き寸法以上である。幅寸法は平面型表示装置２の奥行き寸法以下の所定寸法に設定されている。【選択図】        図１
2009047892.tif 000002
【特許請求の範囲】
【請求項１】
平面型表示装置の下面に、その平面型表示装置の横方向に並べて配置されると共に、前記平面型表示装置に結合されている少なくとも２つの取付部と、
これら取付部の下面に、前記平面型表示装置の高さ方向の軸の回りに回転可能に取り付けられ、長さ寸法が、前記平面型表示装置の横方向寸法の１／２以下で、前記平面型表示装置の奥行き寸法以上で、幅寸法が前記平面型表示装置の奥行き寸法以下の所定寸法に設定された少なくとも２つの支持脚とを、
具備する平面型表示装置の支持装置。
【請求項２】
請求項１記載の平面型表示装置の支持装置において、前記支持脚は、その長さ方向が、前記平面型表示装置の横方向に沿う位置と、その長さ方向が前記平面型表示装置の奥行き方向に沿う位置との間を、旋回するように、回転を規制する規制手段を、有する平面型表示装置の支持装置。
【請求項３】
平面型表示装置の下面に、配置されると共に、前記平面型表示装置に結合されている取付部と、
この取付部の下面の前記横方向の両側に、前記平面型表示装置の高さ方向の軸の回りに回転可能に取り付けられ、長さ寸法が、前記平面型表示装置の横方向寸法の１／２以下で、前記平面型表示装置の奥行き寸法以上で、幅寸法が前記平面型表示装置の奥行き寸法の１／２以下の所定の長さに設定された少なくとも４つの支持脚とを、
具備する平面型表示装置の支持装置。
【発明の詳細な説明】
【技術分野】
【０００１】
本発明は、液晶表示装置やプラズマディスプレイのような平面型表示装置の支持台に関し、特に折り畳むことができるものに関する。
【背景技術】
【０００２】
従来、折り畳むことができる支持台としては、例えば特許文献１に開示されているものがある。この特許文献１の支持台では、薄型ディスプレイを立設させる柱状のスタンド本体の下方側に、前置台と後置台とが設けられている。これら前置台と後置台とは、スタンド本体に対してその前後において垂直となって、スタンド本体と共に逆Ｔ字状をなす。前置台と後置台とは、その厚さ寸法が、スタンド本体の前後方向に寸法の１／２に形成され、両者が重なりあってスタンド本体の下部にあるとき、スタンド本体と一直線状にある。この状態から前置台が前方に、後置台が後方にそれぞれ開かれて、上述したようにスタンド本体と共に逆Ｔ字状をなす。
【０００３】
このように構成された支持台では、前置台及び後置台が、スタンド本体と一直線をなす状態と、スタンド本体に対して直角な状態とをとることができるので、例えばテーブル上等に薄型ディスプレイを配置する場合には、前置台及び後置台をスタンド本体に対して直角な状態とし、薄型ディスプレイを壁等に取り付ける場合には、前置台及び後置台がスタンド本体と一直線状の状態とする。これによって、テーブルでも壁でも薄型ディスプレイを配置することができる。また、このような構成では、前置台及び後置台が、スタンド本体と一直線をなす状態で、梱包すれば、梱包ケースの幅寸法を短くすることができる。
【０００４】
【特許文献１】特開２０００−５６６９５号公報
【発明の開示】
【発明が解決しようとする課題】
【０００５】
しかし、特許文献１の技術では、前置台及び後置台が、スタンド本体と一直線をなす状態で梱包すると、前置台及び後置台の下端から薄型ディスプレイの上端までの長さ寸法が、前置台及び後置台をスタンド本体に対して直角な状態で梱包した場合よりも長くなる。そのため、トラックや船舶等の輸送機関によって輸送する際に、積み込める台数が少なくなる。
【０００６】
本発明は、例えば薄型ディスプレイのような平面型表示装置を梱包した際に、その梱包ケースの奥行き寸法（平面型表示装置の正背面方向寸法）を短くした上に、高さ寸法も短くすることが可能な支持台を提供することを目的とする。
【課題を解決するための手段】
【０００７】
本発明の一態様の平面型表示装置の支持装置は、平面型表示装置の下面に、少なくとも２つの取付部が、平面型表示装置の横方向に並べて配置されている。平面型表示装置としては、液晶表示装置、プラズマディスプレイ等を使用することができる。取付部は、前記平面型表示装置に結合されている。この結合は、平面型表示装置の下面に対して行うこともできるし、平面型表示装置の内部で行うこともできるし、平面型表示装置の背面で行うこともできる。これら取付部の下面に、前記平面型表示装置の高さ方向の軸の回りに回転可能に少なくとも２つの支持脚が取り付けられている。これら支持脚の長さ寸法は、前記平面型表示装置の横方向寸法の１／２以下で、平面型表示装置の奥行き寸法以上に競って初されている。これら支持脚の長さ方向を前記平面型表示装置の横方向に沿わせたとき前記平面型表示装置の両側から非突出であり、また奥行き方向にも非突出である。また、これら支持脚の幅寸法が前記平面型表示装置の奥行き寸法以下の所定寸法に設定されている。
【０００８】
このように構成された支持装置では、支持脚をその長さ方向を平面型表示装置の横方向に沿わせている状態では、支持脚は、平面型表示装置の横方向の両端から突出しない。また、この状態では、平面型表示装置の奥行き方向にも、支持脚は突出しない。この状態から支持脚を約９０度回転させることによって、支持脚は平面型表示装置の奥行き方向の両側から両端部がそれぞれ突出し、安定して平面型表示装置を支持する。また、これら取付部が、個別に設けられているので、様々な大きさの平面型表示装置に対して、この支持装置を使用しても、安定して平面型表示装置を支持することができる。
【０００９】
前記各支持脚は、その長さ方向が、前記平面型表示装置の横方向に沿う位置と、その長さ方向が前記平面型表示装置の奥行き方向に沿う位置との間で旋回するように、回転を規制する規制手段を設けることもできる。このように構成すると、支持脚は、約９０度だけ回転するので、支持脚脚が回転を停止するまで支持脚を回転させるという簡単な作業のみで、安定に平面型表示装置を支持することができる。
【００１０】
本発明の他の態様の平面型表示装置の支持装置では、平面型表示装置の下面に、取付部が配置されている。この取付部は、前記平面型表示装置に結合されている。この取付部は、１つだけ設けることもできるし、複数の取付部を平面型表示装置の横方向に配置することもできる。この取付部の下面の前記横方向の両側に、少なくとも２つずつ支持脚が、前記平面型表示装置の高さ方向の軸の回りに回転可能に取り付けられている。これら支持脚は、長さ寸法が、前記平面型表示装置の横方向寸法の１／２以下で、支持脚の長さ方向を前記平面型表示装置の横方向に沿わせたとき前記平面型表示装置の両側から非突出に設定されている。各支持脚の幅寸法が前記平面型表示装置の奥行き寸法の１／２以下に設定されている。
【００１１】
このように構成された平面型表示装置の支持装置でも、支持脚をその長さ方向を平面型表示装置の横方向に沿わせている状態では、支持脚は、平面型表示装置からは突出しない。また、この状態では、平面型表示装置の奥行き方向にも、支持脚は突出しない。また、少なくとも４つの支持脚によって平面型表示装置を支持するので、安定的に平面型表示装置を支持することができる。
【発明の効果】
【００１２】
以上のように、本発明による支持装置によれば、支持脚を全く平面型表示装置から突出させない状態で梱包が可能であるので、梱包ケースを小型化することができ、輸送機関に積み込む際に、より多くの平面型表示装置を積み込むことができる。
【発明を実施するための最良の形態】
【００１３】
本発明の第１の実施形態の平面型表示装置の支持装置は、図１（ｂ）に示すように平面型表示装置２の下面に設けられている。この支持装置は、２つの支持脚４、４を有している。これら支持脚４、４は、図２（ａ）に示すように、概略扁平な直方体状に形成されている。これら支持脚４の上面の中央よりも一方の端部に幾分よった位置に、上方に突出した軸６が形成されている。この軸６の周囲には、２条の円弧状の溝８、８が形成されている。これら溝８、８は、軸６を中心とする円周上に支持脚４の長さ方向の中心軸の両側に位置するように、線対称に配置されている。これら溝８、８は、その中心角が９０度より幾分広い角度に形成されている。
【００１４】
これら支持脚４、４の軸６上に取付部１０、１０が取り付けられている。取付部１０は、図２（ｂ）に示すように、円錐台状に形成され、図３に示すように、下面中央に軸６が挿入される凹所１２を有している。また、図２（ｂ）に示すように、溝８、８内に挿入される突部１４、１４を有している。これら突部１４、１４は、下面中央を中心として点対称に配置されている。従って、一方の突部１４が一方の溝８の一方の端部に位置しているとき、他方の突部１４は他方の溝の他方の端部に位置している。この取付部１２は、図２（ｃ）、図３に示すように支持脚４の軸６に凹所１２が挿通され、かつ突部１４、１４が溝８、８に挿通されている。この状態において、図３に示すように取付部１２の上面から支持脚４内にボルト１６が挿通され、ナット１８によって固定されている。このボルト１６の回りに支持脚４が回転可能で、その回転は、一方の方向には一方の突部１４が一方の溝８の一方の端に到達するまで可能で、他方の方向には他方の突部１４が他方の溝の一方の端に到達するまで可能である。
【００１５】
この取付部１０の上面には、例えば図４（ａ）に示すように水平部２０ａと、その水平部２０の中央に起立する垂直部２０ｂとからなるＴ字状の固定部２０の水平部２０ａが取り付けられ、垂直部２０ｂが、同図（ｂ）に示すように、平面型表示装置２の下面からその内部に侵入し、内部のシールド板２２に固定されている。
【００１６】
或いは、取付部１０の上面には、図５（ａ）に示すように水平部２２ａと、その水平部２２ａの後端部に起立する垂直部２２ｂとからなるＬ字状の固定部２２の水平部２２ａが取り付けられ、垂直部２２ｂが同図（ｂ）に示すように、平面型表示装置２の背面に固定されている。
【００１７】
固定部２０、２２のいずれを使用するかは、平面型表示装置２の仕様に応じて決定される。このように支持脚４上に取付部１０を取り付けた２つの支持具によって支持装置が構成されているので、平面型表示装置２がどのような大きさのものであっても取り付けることができる。例えば２つの支持具間を結合具で結合したような構成では、平面型表示装置２が大型のものの場合、２つの支持具が、平面型表示装置の横方向の中央に接近した状態で平面型表示装置を支持することになり、安定性が悪くなる。また、平面型表示装置２が小型のものの場合、平面型表示装置の横方向にかなり離れた状態で２つの支持具が平面型表示装置を支持することになり見栄えが悪い。
【００１８】
これに対し、２つの支持具を別々に構成しているこの実施形態の支持装置では、どのような大きさの平面型表示装置であっても、安定した状態で見栄えよく、平面型表示装置を支持することが可能となる。
【００１９】
なお、支持脚４は、図１（ａ）に示すように支持脚４を、その長さ方向が平面型表示装置２の横方向に沿わせた状態で、平面型表示装置２の横方向の両側から突出することがなく、支持脚４をその長さ方向が奥行き方向に沿わせた状態で平面型表示装置を安定に支持するために、横方向の１／２以下の長さ寸法で奥行き寸法以上に長さが設定されている。幅寸法は、支持脚４を、その長さ方向が平面型表示装置２の横方向に沿わせた状態で、奥行き方向に突出することがないように、平面型表示装置２の奥行き寸法以下に設定されている。但し、安定して平面型表示装置を支持するために所定の長さに設定されている。
【００２０】
支持脚４の長さ方向が平面型表示装置２の横方向に沿う状態で、平面型表示装置２の横方向の両側から支持脚４が突出することがないので、平面型表示装置２を梱包しても、梱包容器は、平面型表示装置の横寸法と奥行き寸法とにマッチするものを使用することができ、梱包容器が支持装置のために大型になることはない。
【００２１】
図１（ａ）に示すように梱包容器から取り出した状態で、支持脚４、４をボルト１６の回りに約９０度回転させることによって、平面型表示装置２を支持することができる。また、取付部１０の突部１４、１４に溝８、８の縁が当たることによって、回転が規制されるので、約９０度に支持脚４、４を容易に回転させることができる。
【００２２】
本発明の第２の実施形態の支持装置は、図６に示すように合計４本の支持脚３０によって平面型表示装置２を支持するもので、４本の支持脚３０は、図７に示すように平面型表示装置２の下面中央に取り付けられた取付部３２に取り付けられている。この取付部３２は扁平な直方体状に形成されている。この取付部の下面の両端部に、平面型表示装置２の奥行き方向に沿って２個ずつ、支持脚３０が取り付けられている。各支持脚３０は、それらの一端部が、平面型表示装置２の高さ方向に沿う軸３４の回りに回転自在に取り付けられている。これら支持脚３０は、図８から明らかなようにその長さ寸法が平面型表示装置２の横寸法の１／２以下で、奥行き寸法以上であり、幅寸法も平面型表示装置２の奥行き寸法の１／２以下の所定の長さに設定されている。また、各支持脚３０を平面型表示装置の横方向に沿わせた状態で、その端部が平面型表示装置２の両端部から突出せず、また奥行き方向の両側から一部が露出しないように配置されている。
【００２３】
図８に示すようにこれら支持脚３０が平面型表示装置２の横方向に沿った状態にあるときと、図６に示すように平面型表示装置２の奥行き方向の前後にそれぞれ突出した状態にあるときとに、支持脚３０を固定するために、図９に示すように、支持脚３０内には、弾性部材、例えばコイルバネ３６によってボール３８が上方に押圧されている。このボール３８は、支持脚３０の上面から一部が露出しており、各支持脚３０における軸３４の回りに各支持脚３０が回転するのと共に回転する。支持脚３０が支持脚３０が平面型表示装置２の横方向に沿った状態にあるときと、平面型表示装置２の奥行き方向の前後にそれぞれ突出した状態にあるときとに、ボール３８が侵入するように、取付部３２の下面の２カ所に凹部４０ａ、４０ｂが形成されている。
【００２４】
この実施形態の支持装置においても、支持脚３０が平面型表示装置２の横方向に沿った状態にあるときには、支持脚３０は平面型表示装置２の横方向及び奥行き方向のいずれかも突出しない。従って、支持装置が既に取り付けられているにも拘わらず、平面型表示装置２の梱包容器が大型化になることを防止できる。
【００２５】
上記の第１の実施形態では、２本の支持脚を用いたが、支持脚の長さ寸法を短くすることによって２本よりも多くの支持脚を取り付けることもできる。同様に第２の実施形態においても、支持脚を４本としたが、さらに多くの支持脚を取り付けることもできる。また、第２の実施形態において、各支持脚３０の平面型表示装置２の横方向の中央側の端部間をリンクによって結合し、リンクの操作によって、４本の支持脚を同時に出し入れするように構成することもできる。
【図面の簡単な説明】
【００２６】
【図１】本発明の第１の実施形態の支持装置を取り付けた平面型表示装置の支持脚を開いた状態と閉じた状態との斜視図である。
【図２】図１の支持装置の支持脚の斜視図と、取付部の側面図と、支持装置の斜視図である。
【図３】図１の支持装置の縦断面図である。
【図４】図１の支持装置に固定部を取り付けた状態の一例の斜視図と支持装置を平面型表示装置に取り付けた状態の一例の側面図である。
【図５】図１の支持装置に固定部を取り付けた状態の他の例の斜視図と支持装置を平面型表示装置に取り付けた状態の他の例の側面図である。
【図６】本発明の第２の実施形態の支持装置を取り付けた平面型表示装置の支持脚を開いた状態の斜視図である。
【図７】図６の平面型表示装置の部分省略正面図である。
【図８】図６の支持装置の平面図である。
【図９】図６の支持装置の部分省略縦断面図である。
【符号の説明】
【００２７】
２  平面型表示装置
４  支持脚
１０  取付部
【図１】
2009047892.tif 000003
【図２】
2009047892.tif 000004
【図３】
2009047892.tif 000005
【図４】
2009047892.tif 000006
【図５】
2009047892.tif 000007
【図６】
2009047892.tif 000008
【図７】
2009047892.tif 000009
【図８】
2009047892.tif 000010
【図９】
2009047892.tif 000011